(57)【要約】【課題】火災避難中に落とし難く、口と鼻とを被うことによって安定的に防煙効果を発揮できる濡れタオルを備えた火災避難用具を提供する。【解決手段】手を挿入可能とする筒状に形成された濡れタオル２が、包装袋内に密閉されてなるものとしたから、火災避難の際に、包装袋から取り出した濡れタオル２を、その挿入内域７に手を挿入して使用できるため、避難中に誤って落としまうことを可及的に抑制でき、安全な場所まで、濡れタオル２の防煙効果によって呼吸障害の発生を抑制することができる。【選択図】図５
0003187360.tif 000002
【実用新案登録請求の範囲】
【請求項１】
火災避難時に口と鼻とを被うように用いられるものであって、水分を含み、タオル地の帯状布からなる筒状に形成されて、その筒内部を手を挿入可能な挿入内域とする濡れタオルを備え、
該濡れタオルが、包装袋内に密封されてなるものであることを特徴とする火災避難用具。
【請求項２】
濡れタオルは、タオル単体の重量に比して５倍〜１０倍の水分が含まれているものであることを特徴とする請求項１に記載の火災避難用具。
【請求項３】
濡れタオルは、精製水が含浸されたものであることを特徴とする請求項１又は請求項２に記載の火災避難用具。
【請求項４】
濡れタオルを包装袋内に密封後に、レトルト殺菌されたものであることを特徴とする請求項１乃至請求項３のいずれか１項に記載の火災避難用具。
【考案の詳細な説明】
【技術分野】
【０００１】
本考案は、火災避難時に使用される濡れタオルを備えた火災避難用具に関する。
【背景技術】
【０００２】
建物火災における死亡原因の一つとして、呼吸障害がある。これは、火災時に発生する多様な水溶性ガス（ＮＨ３、Ｈ２ＳＯ４、ＨＣＬ等）、煤煙、煤塵などを吸い込むことに因る。これに対して、濡れタオルで口と鼻とを被うことによって、前記ガス等の吸引を抑制することができる。しかし、火災発生時にはパニック状態となることが考えられ、この状態では、タオルを持って洗面所等へ行って水で濡らしてから避難するという余裕は無い。そのため、例えば、特許文献１では、濡れタオルを密封袋に封入した構成が提案されている。この構成の濡れタオルは、濡れタオルの両端に耳掛け用の切り込みが設けられており、防煙用のマスクとして使用できるようにしている。
【先行技術文献】
【特許文献】
【０００３】
【特許文献１】実開平６−６６７０９号公報
【考案の概要】
【考案が解決しようとする課題】
【０００４】
ところで、上述した従来の、防煙用マスクを兼用する構成にあっては、顔サイズに応じて異なる切り込み間隔を設定した複数種類のものを用意する必要がある。これは、切り込み間隔と顔サイズとが合っていなければ、マスクとして使用できなかったり、耳に掛けても比較的容易に落ちてしまうためである。例えば、一般的なマスクでは、大人用としてＳ，Ｍ，Ｌ，ＬＬサイズが設定され、子供用サイズも設定されており、これからも複数サイズが必要であることは明らかである。また、複数種類のサイズが準備されていても、適正なサイズのものを選択しなければ、使用できなかったり、落ちてしまい易い。こうしたことから、従来構成のマスク兼用濡れタオルでは、異なる切り込み間隔を設定した複数種類のものを準備し、さらに適正なサイズを選択して使用しなければ、マスクとして使用できなかったり、避難中に落としてしまう虞がある。ここで、火災発生時にはパニック状態となり易いことから、適正なサイズを選択できない可能性が高い。そして、仮に、避難中に落としてしまうと、防煙効果を有する濡れタオルの意義さえも失われる。
【０００５】
本考案は、火災避難中に誤って落としてしまうことを抑制できると共に、口と鼻とを被うことによって安定的に防煙効果を発揮できる濡れタオルを備えた火災避難用具を提供することを目的とする。
【課題を解決するための手段】
【０００６】
本考案は、火災避難時に口と鼻とを被うように用いられるものであって、水分を含み、タオル地の帯状布からなる筒状に形成されて、その筒内部を手を挿入可能な挿入内域とする濡れタオルを備え、該濡れタオルが、包装袋内に密封されてなるものであることを特徴とする火災避難用具である。
【０００７】
かかる構成にあって、濡れタオルは、その挿入内域に手を挿入して使用されることにより、火災避難中に落としてしまうことを可及的に抑制することができる。そして、火災避難時には、濡れタオルを、挿入内域に手を導入して口と鼻とを被うように使用することによって、火災時に発生する多様な水溶性ガス（ＮＨ３、Ｈ２ＳＯ４、ＨＣＬ等）、煤煙、煤塵などを吸い込んでしまうことを抑制する防煙効果が発揮される。こうしたことから、本構成の濡れタオルによれば、火災避難の際に、安全な場所まで呼吸障害の発生を抑制する効果が発揮され得る。
【０００８】
尚ここで、本考案にかかる濡れタオルは、手を挿入可能な筒状としたものであるから、大人の手を挿入可能なサイズとすれば、大人から子供まで幅広く利用することができる。すなわち、本考案の構成では、上述した従来のマスク兼用構成のように複数の異なるサイズのものを準備する必要がなく、そして火災避難中の落下を抑制できるという上述した作用効果が発揮される。
【０００９】
また、本考案にかかる濡れタオルは、挿入内域に手を挿入可能とするサイズに形成されるものであるから、口と鼻とを余裕を持って被うことができ、さらに顔の大部分を被うことも可能である。さらに、濡れタオルは、挿入内域に挿入した手により支持されることから、該手も被う。火災避難中には、該火災により発生した高温の気体（熱風や熱煙等）が充満する場所を移動しなければならない場合が多く、該高温の気体に、移動方向を向く顔が正面から曝される。こうした状況にあっても、本考案の濡れタオルにより、顔と挿入内域内の手とを前記高温の気体から守ることができる。これにより、避難時における怪我や火傷を防ぐ効果を奏すると共に、高温の空気を吸い込むことによる気管支の火傷等を防ぐ効果も奏する。
【００１０】
さらに、濡れタオルは挿入内域に挿入した手により支持されていることから、火災避難中に、身体に掛かった火の粉などを、濡れタオルで落としたりすることも容易にできる。そして、このために顔から離しても落とし難く、また直ぐに口と鼻とを被うように戻すことができる。
【００１１】
本考案の火災避難用具は、包装袋内に濡れタオルが密封された未使用状態で、該濡れタオルが水分を含んだ状態で保持されることから、包装袋を開封することによって、濡れタオルを取り出して使用することができる。そのため、本考案の火災避難用具を常備しておくことによって、火災発生時に、該火災避難用具の濡れタオルを取り出して使用することを容易に行うことができ、上述した呼吸障害の発生を抑制する効果が発揮できる。
【００１２】
上述した本考案の火災避難用具にあって、濡れタオルは、タオル単体の重量に比して５倍〜１０倍の水分が含まれているものである構成が提案される。
【００１３】
かかる構成によれば、濡れタオルが充分な水分を含むことから、火災避難時に口や鼻を被うことによって呼吸障害の発生を抑制するという上述した本発明の作用効果が安定して発揮され易い。尚、タオル単位の重量に比して５倍より少ない水分しか含まれていなければ、水分が足りず、一方、１０倍より多い水分では、水分が多すぎて包装袋の開封時に水が漏れ出し易い。
【００１４】
上述した本考案の火災避難用具にあって、濡れタオルは、精製水が含浸されたものである構成が提案される。
【００１５】
ここで、精製水は無菌な水であることから、包装袋内に密封された状態で菌の増殖を抑制することができる。これにより、濡れタオルを衛生的な状態で保つことができる。
【００１６】
上述した本考案の火災避難用具にあって、濡れタオルを包装袋内に密封後に、レトルト殺菌されたものである構成が提案される。
【００１７】
ここで、レトルト殺菌は、加圧下で１００℃を超える蒸気や加圧熱水による殺菌であり、食品等に用いられる方法が適用できる。レトルト殺菌されることにより、包装袋内に存在し且つ発育し得る微生物を死滅させることができ、包装袋内に密封保持した濡れタオルを長期に亘って衛生的に保つことができる。これにより、長期的な常温保存ができ、火災避難時の使用で、上述した本発明の作用効果が安定して発揮され得る。
【考案の効果】
【００１８】
本考案の火災避難用具にあっては、上述したように、火災避難の際に、包装袋から取り出した濡れタオルを、その挿入内域に手を挿入して使用できることから、避難中に誤って落としてしまうことを可及的に抑制でき、安全な場所まで呼吸障害の発生を抑制することができる。さらに、濡れタオルによって、火災避難中に正面から受ける高温の気体から、顔と挿入内域内の手とを守ることができるため、火傷の防止効果と、吸い込む空気の温度を下げる効果とを奏する。
【図面の簡単な説明】
【００１９】
【図１】本考案にかかる火災避難用具１の外観を示す概略図である。
【図２】開封された包装袋３から濡れタオル２を取出した状態を示す説明図である。
【図３】濡れタオル２の概略図である。
【図４】濡れタオル２の挿入内域に手を挿入した状態を示す説明図である。
【図５】濡れタオル２の使用状態を示す説明図である。
【考案を実施するための形態】
【００２０】
本考案の実施例を、添付図面を用いて詳述する。
本考案の火災避難用具１は、図１のように、水分を含む濡れタオル２が包装袋３の内部に密封されたものであり、図２のように該包装袋３を開封して濡れタオル２を取り出すことによって該濡れタオル２を使用できる。
【００２１】
上記した濡れタオル２は、綿１００％のタオル地の帯状布から形成され、該帯状布の短辺同士を縫い合わせて筒状に形成されたものである。この濡れタオル２は、図３，４のように、両端が開口する筒状であることから、両端開口のいずれからでも人間の手を挿入可能としている。この濡れタオル２の筒内部が、手を挿入可能とする挿入内域７である。ここで、濡れタオル２は、その筒内部に、一般的な大人の手を、掌が開いた状態で手首まで余裕を持って収め入れることができるように、そのサイズ（寸法形状）が設定されている。そして、このように設定される濡れタオル２のサイズは、口と鼻とを同時に被うことができるサイズとして充分である（図５参照）。具体的には、濡れタオル２は、短辺長さが約２２ｃｍ、長辺長さが約３４ｃｍの帯状布から筒状に形成される。
【００２２】
この濡れタオル２は、精製水が含まれており、上記した帯状布を筒状とした後に該精製水が含浸されてなるものである。精製水は、無菌な水であることから、濡れタオル２を清潔な状態とできる。ここで、濡れタオル２には、帯状布（水分を含む前のタオル単体）の重量に比して、５倍〜１０倍の重量の精製水が含まれており、充分に水分を含んだ状態となっている。具体的には、約１０ｇの帯状布に対して、約７５ｇの精製水が含浸されている。尚、含浸される精製水は、その重量が帯状布の重量に比して５倍よりも少なければ、水分が足りず、全体的に充分な水分が行き渡らないこともあり得、後述する防煙効果の低減が懸念される。一方、１０倍よりも多ければ、全ての水が帯状布に含浸し難くなるため、含浸されない水が包装袋３内に溜まって開封時に漏れ出す虞がある。さらに、含浸できない量の水を加えても、水の無駄使いでしかない。
【００２３】
こうした濡れタオル２は、折りたたまれて包装袋３内に密封される（図２参照）。尚、濡れタオル２は、予め精製水を含浸させて包装袋３に入れるようにしても良いし、筒状とした帯状布と精製水との両方を包装袋３に入れて該袋内で含浸させるようにしても良い。
【００２４】
また、上記した包装袋３としては、ＰＥＴやポリエチレンなどのフィルムにアルミ箔をラミネート加工したアルミラミネートフィルム製のものが好適に用いられる。アルミラミネートフィルム製の包装袋３は、耐熱性、防湿性、ガスバリア性、酸化防止性などを有している。
【００２５】
上記したアルミラミネートフィルム製の包装袋３に、折りたたまれた濡れタオル２を収納した後、袋口をヒートシールすることにより密封し、火災避難用具１を得る。さらに、密封後に、レトルト殺菌を行う。このレトルト殺菌は、１００℃を超える蒸気や加圧熱水を用いて加圧下で加熱する処理であり、食品等に用いられる処理方法を適用できる。これにより、密封された包装袋３の内部を殺菌することができ、菌の発生や増殖を防止できることから、該包装袋３内の濡れタオル２を衛生的に保つことができる。そして、火災避難用具１は、未開封の状態で、常温で長期間保存することができる。尚、濡れタオル２を構成するタオル地にも、その製造工程にあって、糊を落とす最終加工時に抗菌加工が施されている。
【００２６】
包装袋３には、その両側端（又は一方の側端）および上下両端に切欠き９が夫々形成されており（図１参照）、該切欠き９から容易に開封することができるようになっている（図２参照）。
【００２７】
次に、本実施例の火災避難用具１の使用とその作用効果について説明する。
火災避難用具１は、火災時の緊急避難用として、例えば、ホテル、マンション、ショッピングモール、一般家庭等に常備される。建物火災が発生して避難する場合に、図２のように、火災避難用具１を開封して、包装袋３から濡れタオル２を取り出す。そして、図４のように濡れタオル２の両端開口から挿入内域７に手を挿入し、図５のように該濡れタオル２で口と鼻とを被って避難する。こうした火災避難用具１を開封して濡れタオル２を使用する行為は、極めて容易かつ素早く行うことができるため、火災発生時のパニック状態や余裕の無い状態であっても確実に実行可能である。さらに、子供でも、容易に行うことができる。
【００２８】
ここで、濡れタオル２は、上述したように手を挿入可能な比較的大きなサイズであることから、口と鼻とを同時に被うだけでなく、顔の大部分を被うこともできる。また、手の小さい子供であっても、手を挿入することで無理なく使用できる。
【００２９】
包装袋３から取り出した濡れタオル２は、上述したように水分を充分に含んだ状態で保たれていることから、該濡れタオル２で口と鼻とを被って避難することにより、火災時に発生する水溶性ガス（ＮＨ３、Ｈ２ＳＯ４、ＨＣＬ等）、煤煙、煤塵などの吸入を可及的に抑制することができる。こうした防煙効果により、前記ガスや煤煙などによる呼吸障害の発生を抑制できるため、火災避難時に煙を原因とする死亡事故の発生を抑制できる。
【００３０】
さらに、濡れタオル２は、その挿入内域７に挿入した手によって口と鼻とを被うように支持されることから、図５のように、上述したように顔の大部分を保護できると共に、挿入内域７に挿入した手も保護できる。火災避難中には、熱風や熱煙等の高温の気体が充満する場所を移動する場合が多く、該高温の気体に、移動方向を向く顔が正面から曝される。こうした場所を移動中にあっても、前記した濡れタオル２による保護作用によって、顔と挿入内域７内の手とを前記高温の気体から守ることができる。そして、濡れタオル２が上述したように水分を充分に含んでいることにより、前記熱風や熱煙等による怪我や火傷等を防ぐことができると共に、吸い込む空気の温度を下げて、気管支の火傷を防ぐこともできる。
【００３１】
また、火災避難は、できるだけ低い姿勢で退避することが基本とされており、こうした無理な姿勢による移動では、手に持っているものを誤って落とし易い。これに対して、本実施例の濡れタオル２は、上述したように、挿入内域７に挿入した手によって支持されることから、無理な姿勢による避難中でも誤って落とし難い。尚、火災避難中では、一度落としてしまうと、直ぐに拾うことは難しいことから、本実施例のように落とし難い濡れタオル２が有する意義は絶大と言える。
【００３２】
そして、濡れタオル２を落とし難く支持できることから、避難中に身体に掛かった火の粉などを、濡れタオル２により素早く落とすことも容易にできる。さらに、こうして濡れタオル２を顔から離しても、また直ぐに口と鼻とを被うように戻すことが容易である。
【００３３】
このように本実施例の濡れタオル２によれば、火災避難時に誤って落としてしまうことなく、安全な場所まで口と鼻とを被いながら避難することができるから、上述したように、水溶性ガスや煤煙などによる呼吸障害の発生を可及的に抑制できると共に、吸い込む空気の温度を下げて呼吸を楽にできる。これによって、避難中の精神状態を落ち着かせることができ、冷静な判断を行い易くするという優れた効果も奏し得る。そのため、安全な場所までの避難を補助する効果が高く、火災避難の補助具として極めて優秀である。
【００３４】
こうした火災避難用具１は、精製水を含浸した濡れタオル２が包装袋３内に密閉され、レトルト殺菌されたものであることから、上述したように、常温で比較的長期に亘って保管でき、衛生的な状態で保持することができる。そのため、火災に備えて常備し、火災発生時に包装袋３から濡れタオル２を取り出して使用することによって、上述した作用効果が安定して発揮され得る。
【００３５】
また、濡れタオル２は、筒状として、該筒内部を手を挿入可能な挿入内域７としたものであることから、手の大きさに関わらず、万人が使用可能である。これは、子供などのように手が小さくとも、該手を挿入内域７に挿入することによって容易に使用できると共に、逆に極めて手が大きい人の場合、親指以外の四本指を挿入して使用する等のように部分的に挿入して使用できることに因る。こうしたことから、異なるサイズの濡れタオル２を準備する必要がなく、上述したように一般的な大人の手を挿入可能なサイズに設定することによって、子供から大人まで使用でき、上述した本発明の作用効果を奏し得る。尚、こうした濡れタオル２は、サイズの異なる大小２，３種類を準備し、子供が多い学校などには、サイズの小さいものを常備する等、常備する場所に応じて適当なサイズのものを使用できるようにすることも可能である。
【００３６】
本考案は、上述した実施例の形態に限らず本考案の要旨を逸脱しない範囲内において種々変更を加えることができる。
【符号の説明】
【００３７】
１  火災避難用具
２  濡れタオル
３  包装袋
７  挿入内域
【図１】
0003187360.tif 000003
【図２】
0003187360.tif 000004
【図３】
0003187360.tif 000005
【図４】
0003187360.tif 000006
【図５】
0003187360.tif 000007